(57)【要約】      （修正有）【課題】あらゆる種類の犬に使用することができ、また装置が緩むことがないペット糞便収集装置の提供。【解決手段】ペット糞便収集装置は、貫通穴１０を有するプレートを含む。細片の２つの端部はプレートの２つの上側ウィング１３，１４と連結される。調節ユニット５は細片と移動可能に連結される。左足ベルト３および右足ベルト４はプレート下部と連結される。２個の連結部材３５，４５は夫々左足ベルトおよび右足ベルトの２つの端部と連結される。延長部は貫通穴周縁から延出する。複数のクリップ部１５は貫通穴の周りに形成される。袋は貫通穴および延長部内に収められると共に、クリップ部により固定される。細片はペットに取り付けられ、左足ベルトおよび右足ベルトはペットの２本の後ろ足の間に延出する。プレートはペット後部に位置決めされ、ペットの肛門が貫通穴のところに位置する。【選択図】図１
2014090719.tif 000002
【特許請求の範囲】
【請求項１】
ペット糞便収集装置であって、
プレートと、前記プレートはその上縁に画定される凹部を有し、前記凹部はペットの尾を位置させるように構成され、前記プレートは２個の位置決め部と、前記２個の位置決め部の間に位置する前記凹部を有し、貫通穴は前記プレートを貫通するように画定されると共に前記凹部と連通しておらず、
２つの端部を有する細片と、前記端部は夫々前記プレートの２個の位置決め部夫々と連結され、前記細片の中間部は調節ユニットを貫通して、閉じられた取付け部と２個の制限部分を形成し、前記調節ユニットは前記取付け部と前記プレートに連結される前記２個の制限部分の間に位置し、取付け領域が前記と取付け部により画定され、制限領域が前記調節ユニット、前記２個の制限部分および前記プレートの間に画定され、
前記プレート下部の２個の角部分に連結される左足ベルトおよび右足ベルトと、前記左足ベルトおよび前記右足ベルト各々は連結部材を有し、前記連結部材は前記細片と連結され、前記制限領域は前記ペットに取り付けられるように構成され、前記プレートは前記ペットの後部に位置するように構成され、前記尾は前記制限領域を貫通し、前記左足ベルトおよび前記右足ベルトの前記２個の連結部材夫々は前記ペットの２本の後ろ足の間に延出すると共に前記細片の取付け部と連結され、前記取付け領域は引っ張られて三角形となり、前記プレートの貫通穴は前記ペットの肛門と位置が合わせられる
ペット糞便収集装置。
【請求項２】
プレートを含み、前記プレートはその上縁に画定される凹部と、前記凹部はペットの尾を位置させるように構成され、前記プレートを貫通すると共に前記凹部と連通しない貫通穴を有し、前記プレートは２個の位置決め部を有し、前記プレートは袋の開口周縁を固定するように、前記貫通穴の周りに位置する複数のクリップ部を有する
ペット糞便収集装置。
【請求項３】
プレートを含み、前記プレートはその上縁に画定される凹部と、前記プレートを貫通するように画定される貫通穴を有し、前記凹部はペットの尾を位置させるように構成され、前記プレートは２個の位置決め部を有し、前記凹部は前記貫通穴と連通しておらず、前記プレートは袋を納めるように、前記貫通穴の周りに位置する延長部を有する
ペット糞便収集装置。
【請求項４】
前記プレートは、袋の開口周縁を固定するように、前記貫通穴の周りに位置する複数のクリップ部を有する、請求項１の装置。
【請求項５】
前記プレートは、袋を納めるように前記貫通穴の周りに位置する延長部を有し、前記調節ユニットは単一のユニットであると共に、前記細片に沿って移動可能であり、前記調節ユニットは本体と可動部材とばねを含み、前記ばねは前記本体および前記可動部材の間に位置し、前記取付け部は複数の調節ユニットと前記調節ユニットに移動可能に連結される複数の連結装置を有し、前記調節ユニットは前記連結装置を制限し、前記連結装置は前記左足および右足ベルト上の連結部材と連結され、前記細片の２つの端部各々にはループが形成され、前記２個のループ夫々は前記プレートの２個の位置決め部と直接的または間接的に連結され、前記細片の２個の端部は２個の停止部材夫々により前記制限部分と連結され、前記制限部分は前記２個の調節ユニットを貫通すると共に前記２個のループとなるように形成され、前記２個のループは２個の係合ユニットに取り付けられ、各係合ユニットは連結部および受入れ部材を含み、前記連結部は円板および前記円板の一方側から中心方向に延出するシャンクを含み、前記シャンクはその外周縁に画定される溝とその先端にテーパ状係合部を有し、前記シャンクは前記受入れ部材の突部の入り口を貫通し、前記係合部は前記受入れ部突部の受入れ室と係合し、前記連結部の円板および前記受入れ部材の突部は前記プレートの２つの側面上に位置する、請求項１の装置。
【発明の詳細な説明】
【技術分野】
【０００１】
本発明は収集装置に関し、特に、ペットの糞便収集装置に関する。
【背景技術】
【０００２】
従来のペット糞便収集装置は、特許文献１に開示されており、概して、切込みを備えた枠を含む。凹部が枠に画定されており、２個の穴が凹部内面を貫通するように画定される。支持部は枠から延出すると共に、切込みと連通する。細片は凹部に覆われた一端を有すると共に、２個の穴を貫通する。細片の他端は枠を超えて延出する。第１調節部材および第２調節部材は、細片の２つの端部の間で連結されており、第２調節部材はスナップボタンを有する。第１ケーブルおよび第２ケーブルの両方がループ状ケーブルであり、枠に連結される。
【０００３】
しかし、前記装置を使用する場合、犬のようなペットの尾は切込みに位置させられず、また、細片は尾部を越えて、第２ケーブルのスナップボタンと連結される。ペットの背中および胴の上に２個の連結部があり、即ち、第１および第２調節部材は直線状に位置することから、犬の尾が揺れると、枠は簡単に緩んでしまう。
【０００４】
袋をその開口から枠に取り付けなければならず、また、細片を袋の開口外に位置させるために、開口を画定する部分は、凹部および細片の間の間隙を通り、一定の距離だけ引っ張られる。次に、第１調節部材が、袋の開口を枠の凹部に結び付けるために引っ張られる。第１ケーブルは第２ケーブルを通り抜け、第１ケーブルおよび第２ケーブルのいずれかがスナップボタンに引っ掛けられる。最後に、第２調節部材が最終位置に設置されるように移動する。上記の工程は複雑且つ不便である。
【０００５】
ジャーマンシェパード、ペルービアンインカオーキッド、スルーギ、ウィペット、イタリアングレーハウンドのような犬は、尾が下方に伸び、肛門の位置がより下側に位置するので、従来の糞便収集装置では、第１および第２調節部材が直線上に位置するので、下へ滑り落ちる傾向があった。
【先行技術文献】
【特許文献】
【０００６】
【特許文献１】台湾実用新案第Ｍ４２７００４号
【発明の開示】
【発明が解決しようとする課題】
【０００７】
本発明は、従来のペット糞便収集装置の欠点を改善するペット糞便収集装置を提供するものである。
【課題を解決するための手段】
【０００８】
本発明はペット糞便収集装置に関し、貫通穴を有するプレートを含む。凹部はプレートの上縁に画定され、ペットの尾は凹部を貫通する。プレートは２個の上側ウィングを有し、凹部は２個の上側ウィングの間に位置する。２個の上側ウィング各々は位置決め部を有する。細片は、２個の上側ウィングの２個の位置決め部夫々に連結される２つの端部を有する。細片の中間部は調節ユニットを貫通し、取り囲まれた取付け部および２個の制限部分を形成する。調節ユニットは取付け部およびプレートと連結される２個の制限部分の間に位置する。取付け領域は取付け部によって画定され、制限領域は調節ユニット、２個の制限部分およびプレートの２個の上側ウィングの間で画定される。左足ベルトおよび右側ベルトは、プレート下部の２個の角部分に連結される。左足ベルトおよび右足ベルト各々は、夫々と連結される連結部材を有し、この連結部材は細片の取付け部と連結される。取付け部はペットに取り付けられ、プレートはペットの下側に位置する。尾は制限領域を貫通する。左足ベルトおよび右足ベルトの２個の連結部材夫々はペッとの２本の後ろ足の間に延在すると共に、取付け部と連結される。プレートの貫通穴は、ペットの肛門と位置が合わせられる。
【０００９】
複数のクリップ部が貫通穴の周りに形成される。袋は貫通穴および延長部内に収められる。袋の開口の周縁はクリップ部によって固定される。糞便は袋の中に直接収集される。
【００１０】
本発明の主な目的は、あらゆる種類の犬に使用することができ、また、装置が緩むことがないペット糞便収集装置を提供することにある。
【００１１】
本発明は、添付の図面と併せて以下の詳細な説明からより明らかにされる。図面は例証のみを目的として、本発明に係る好適な実施形態を示す。
【図面の簡単な説明】
【００１２】
【図１】本発明のペット糞便収集装置を示す分解組立図。
【図２】本発明のペット糞便収集装置を示す斜視図。
【図３】図２のA-A線視断面図。
【図４】図２のB-B線視断面図。
【図５】本発明のペット糞便収集装置の使用状態を示す図。
【図６】本発明のペット糞便収集装置の別の実施形態を示す分解組立図。
【図７】本発明の図6のペット糞便収集装置の使用状態を示す図。
【発明を実施するための形態】
【００１３】
図１〜６を参照すると、本発明のペット糞便収集装置は、貫通穴１０を有するプレート１と、プレートの上部に連結される細片２と、細片２を移動可能な少なくとも１個の調節ユニット５と、プレート１の下端に連結される左足ベルト３および右足ベルト４と、左足ベルト３および右足ベルト４と連結される２個の連結部材３５，４５を含む。
【００１４】
凹部１１はプレート１の上縁に画定されると共に、図５に示すように、ペット６の尾６０が貫通するように寸法が決められている。貫通穴１０は凹部１１と連通していない。プレート１は２個の上側ウィング１３，１４を有し、凹部１１が２個の上側ウィング１３，１４の間に位置する。２個の上側ウィング１３，１４各々は、位置決め部１３１／１４１を有し、この位置決め部は細片の２個の端部と連結されるような突起、拡大した頭部を備えた突起、或いは長穴であってよい。管状延長部１６は貫通穴１０の周縁から延出しており、複数のクリップ部１５が貫通穴１０の周りに形成される。袋７の開口の周縁７０は、クリップ部１５の長穴内に挿入されると共に、クリップ部１５により確実に位置決めされ、また、袋７は貫通穴１０および延長部１６内に収められる。このようにして、袋７は他の物体により引っ張られたり離されたりすることがない。別の凹部１２がプレート１の下側部分に画定され、プレート１下側部分の２個の角部分各々は、貫通するように画定される３個の孔１７／１８を有する。尚、プレート１と凹部１１は、犬の尾に対して曲がりやすく、柔らかくしなやかで、又は撓むようになっていることが好ましい。
【００１５】
細片２は、２個のループ２０１として形成される２つの端部を有し、ループは夫々、２個の上側ウィング１３，１４の２個の位置決め部１３１，１４１夫々と、直接的または間接的に連結される。細片２は弾性のバンド、ベルト、ロープまたはワイヤにより作られてよい。細片２の中間部は調節ユニット５を貫通して、閉じられた取付け部２１および２個の制限部分２０を形成し、調節ユニット５は、取付け部２１と、プレート１に連結される２個の制限部分２０の間に位置する。取付け領域２６は取付け部２１により画定される。制限領域２５は調節ユニット５と、２個の制限部分２０と、プレート１の２個の上側ウィング１３，１４の間に画定される。調節ユニット５を移動させることにより、取付け部２１および２個の制限部分２０の寸法と長さを調節できる。換言すれば、制限領域２５および取付け領域２６の寸法は、調節ユニット５を移動させることにより調節できる。
【００１６】
左足ベルト３および右足ベルト４は、弾性のバンド、ベルト、ロープまたはワイヤから作られてよい。左足ベルト３および右足ベルト４各々の一端は、プレート１下部の孔１７／１８と、直接的または間接的に連結される。左足ベルト３および右足ベルト４各々の他端は、連結部材３５／４５を有する。左足ベルト３および右足ベルト４の２個の連結部材３５，４５夫々は、ペット６の２本の後ろ足６１，６２の間に延出すると共に、取付け部２１と連結される。従って、取付け領域２６は、図５に示すように、引っ張られて三角形となり、固定される。
【００１７】
調節ユニット５は内部に室５０１が画定される本体５０と、室５０１に位置する可動部材５１と、本体５０および可動部材５１の間で付勢されるばね（図示なし）を含む。本体５０は通路５０２を有し、また可動部材５１は別の通路（図示なし）を有しており、調節ユニット５は、本体５０の通路５０２および可動部材５１の通路が互いに位置合わせされた時に、細片２に沿って移動可能である。
【００１８】
使用に際して、２個の取付け部２１は調節ユニット５を貫通し、ループ２０１は、細片２をプレート１に固定するために、プレート１の位置決め部１３１，１４と連結される。閉じられた制限領域２５が、調節ユニット５とプレート１の間に形成される。左足ベルト３および右足ベルト４は夫々、Ｘ形状の配置を形成するように孔１７，１８と連結され、左足ベルト３および右足ベルト４が確実にプレート１と固定されるようにする。
【００１９】
袋７の開口の周縁７０はクリップ部１５の長穴に挿入されると共に、クリップ部１５により確実に位置決めされ、且つ、袋７は図４に示すように、貫通穴１０および延長部１６内に収められる。袋７はプレート１の外に掛けられず、ペット６が移動したときに、物体により引っ張られることがない。制限領域２５は尾６０の付け根部分に位置し、調節ユニット５は、制限領域２５がより小さくなり、２個の上側ウィング１３，１４がペット６の後部にぴったりと接触するまで、プレート１へ向けて移動させられる。左足ベルト３および右足ベルト４の２個の連結部材３５，４５夫々は、ペット６の２本の後ろ足６１，６２の間に延出し、取付け部２１と連結される。従って、取付け領域２６は、図５に示すように、引っ張られて三角形となり、また細片２が固定される。プレート１の貫通穴１０はペット６の肛門６５と位置が合わせられる。本発明は、糞便６８が袋７に直接的に収集され、次に袋７がプレート１から分離されて廃棄されるので、肛門の位置が異なる様々な種類の犬に適当である。
【００２０】
図６および図７は、本発明の別の実施形態を示しており、相違点としては、細片２のループ２０１が、２個の停止部材２９夫々により、細片２の両端に位置決めされる点であり、停止部材２９は変形可能な板材、糊、接着材、ワイヤ等であってよい。制限部分２０は、２個のループ２０１を形成するように、調節ユニット５を貫通する。取付け部２１は各々、複数の調節ユニット５および複数の連結装置２８を有し、調節ユニット５は連結装置２８を制限し、連結装置２８は左足および右足ベルト３，４上の連結部材３５，４５と連結される。別の相違点としては、突出する位置決め部１３１，１４１が円形に変化し、係合ユニット８と協働する。
【００２１】
係合ユニット８各々は、連結部８０および受入れ部材８５を含む。連結部分８０は円板８００と、円板８００の一方側から中心方向に延出するシャンク８０１を含む。シャンク８０１は外周縁に画定される溝８０２を有し、テーパが付けられた係合部８０３がその先端に形成される。シャンク８０１は受入れ部材８５の突部８５１の入り口８５２を貫通する。係合部８０３は受入れ部８５の突部８５１の受入れ室８５３と係合する。連結部８０の円板８００および受入れ部材８５の突部８５１は、プレート１の２つの側面上に位置する。突部８５１はテーパが付けられた中空部分であり、入口８５２はテーパが付けられた係合部８０４と連通する。残りの部品および使用方法については、第１実施形態と同様であり、ここでは説明しない。
【００２２】
本発明に係る実施形態を図示および説明してきたが、当該技術分野に属する者であれば、本発明の範囲から逸脱することなく、別の実施形態を作り得ることは明らかである。
【符号の説明】
【００２３】
１    プレート
２    細片
３    左足ベルト
４    右足ベルト
５    調節ユニット
１０  貫通穴
１１  凹部
１２  凹部
１３  ウィング
１４  ウィング
１５  クリップ部
１６  延長部
１７  孔
１８  孔
２０  制限部分
２１  取付け部
２５  制限領域
２６  取付け領域
３５  連結部材
４５  連結部材
５０  本体
５０２  通路
５１  可動部材
【図１】
2014090719.tif 000003
【図２】
2014090719.tif 000004
【図３】
2014090719.tif 000005
【図４】
2014090719.tif 000006
【図５】
2014090719.tif 000007
【図６】
2014090719.tif 000008
【図７】
2014090719.tif 000009